【手続補正書】
【提出日】平成28年11月28日(2016.11.28)
【手続補正１】
【補正対象書類名】特許請求の範囲
【補正対象項目名】全文
【補正方法】変更
【補正の内容】
【特許請求の範囲】
【請求項１】
画像を表示する画像表示装置であって、
複数の光源を有する照明手段と、
入力画像を第１の画像成分と第２の画像成分に分ける分離手段と、
前記照明手段からの光を、画像の表示期間内の第１の期間において前記第１の画像成分に基づいて変調し、画像の表示期間内の第２の期間において前記第２の画像成分に基づいて変調する変調手段と、
前記第１の期間において第１の光を発し、前記第２の期間において第２の光を発するように、前記照明手段を制御する制御手段と、
を備え、
前記第１の光及び前記第２の光は、それぞれ赤色の光と青色の光と緑色の光とを含んでおり、
前記第２の光のスペクトルは、前記第１の光のスペクトルよりも広帯域な特性を有することを特徴とする画像表示装置。
【請求項２】
前記分離手段は、入力画像の画素のうち白色点を含む所定の色域に属する画素を第１の比率で第１の画像成分と第２の画像成分に配分するとともに、前記所定の色域に属さない画素を第２の比率で第１の画像成分と第２の画像成分に配分する請求項１に記載の画像表示装置。
【請求項３】
前記分離手段は、前記所定の色域に属する画素について、所定の色の成分を前記第１の比率で第１の画像成分と第２の画像成分に配分するとともに、前記所定の色以外の成分を第３の比率で第１の画像成分と第２の画像成分に配分する請求項２に記載の画像表示装置。
【請求項４】
前記所定の色域は、前記照明手段が前記第２の光を発した場合に表示可能な色域より広くない色域である請求項２又は３に記載の画像表示装置。
【請求項５】
等色関数の個人差による変動モデルにおいて最も短波長側の等色関数と最も長波長側の等色関数のいずれにおいても感度が第１基準以上となる波長域を有感波長域として、
前記第２の光に含まれる所定の色の光のスペクトルは、当該所定の色に対応する等色関
数の有感波長域の全域で強度が第２基準以上となる請求項１〜４のいずれか１項に記載の画像表示装置。
【請求項６】
前記第２の光に含まれる所定の色の光のスペクトルは、複数のピーク波長を有し、
前記複数のピーク波長のうち最も短波長側のピーク波長は当該所定の色に対応する等色関数の個人差による変動モデルにおいて最も短波長側の等色関数のピーク波長よりもさらに短波長であり、
前記複数のピーク波長のうち最も長波長側のピーク波長は当該所定の色に対応する等色関数の個人差による変動モデルにおいて最も長波長側の等色関数のピーク波長よりもさらに長波長である請求項１〜４のいずれか１項に記載の画像表示装置。
【請求項７】
赤色と青色と緑色の各々に対応する透過波長特性を有する光透過手段を更に備え、
前記変調手段は、前記光透過手段を透過する光を画像信号に基づき変調するものであって、
前記第２の光に含まれる所定の色の光のスペクトルは、複数のピーク波長を有し、複数のピーク波長はいずれも当該所定の色に対応する前記光透過手段の透過波長範囲内にある請求項１〜４のいずれか１項に記載の画像表示装置。
【請求項８】
前記照明手段は、赤色と青色と緑色の各々に対応する色の光を発する複数の第１の光源と、白色光を発する第２の光源と、を有し、
前記第１の光は、前記複数の第１の光源の発する光を合成した白色光であり、
前記第２の光は、前記第２の光源の発する白色光である請求項１に記載の画像表示装置。
【請求項９】
前記照明手段は、赤色と青色と緑色の各々に対応する色の光を発する複数の第１の光源と、赤色と青色と緑色の各々に対応する色の光を発し前記第１の光源の各々の発する光と比較してスペクトルが広い複数の第２の光源と、を有し、
前記第１の光は、前記複数の第１の光源の発する光を合成した白色光であり、
前記第２の光は、前記複数の第２の光源の発する光を合成した白色光である請求項１に記載の画像表示装置。
【請求項１０】
前記照明手段は、赤色と青色と緑色の各々に対応する色の光を発する複数の第１の光源と、所定の色に対応する色の光を発し前記第１の光源の発する当該所定の色に対応する色の光と比較してスペクトルが広い第２の光源と、を有し、
前記第１の光は、前記複数の第１の光源の発する光を合成した白色光であり、
前記第２の光は、前記第２の光源の発する光と前記第１の光源の発する前記所定の色以外の色に対応する色の光とを合成した白色光である請求項１に記載の画像表示装置。
【請求項１１】
前記照明手段は、赤色と青色と緑色の各々に対応する色の光を発する複数の第１の光源と、所定の色に対応する色の光を発し前記第１の光源の発する当該所定の色に対応する色の光と比較してピーク波長が異なる第２の光源と、を有し、
前記第１の光は、前記複数の第１の光源の発する光を合成した白色光であり、
前記第２の光は、前記複数の第１の光源の発する光と前記第２の光源の発する光とを合成した白色光である請求項１に記載の画像表示装置。
【請求項１２】
前記分離手段は、入力画像の画素のうち白色点を含む所定の色域に属する画素を第１の比率で第１の画像成分と第２の画像成分に配分するとともに、前記所定の色域に属さない画素を第２の比率で第１の画像成分と第２の画像成分に配分するものであって、
更に、前記所定の色域に属する画素と前記所定の色域に属さない画素の一方からなる領域の画素であって、所定の条件を満たす画素については、前記所定の色域に属する画素と
前記所定の色域に属さない画素の他方と同じ比率で第１の画像成分と第２の画像成分に配分する請求項１〜１１のいずれか１項に記載の画像表示装置。
【請求項１３】
前記所定の条件を満たす画素は、移動している領域及びその周辺の画素、面積が閾値未満の領域の画素、空間周波数が閾値以上の画素、又は模様の複雑さの度合が閾値以上の領域の画素である請求項１２に記載の画像表示装置。
【請求項１４】
前記分離手段が入力画像の画素を第１の画像成分と第２の画像成分に配分するしかたに関して第１のモードと第２のモードがあり、
第１のモードでは、前記分離手段は、前記所定の条件を満たす画素については、前記所定の色域に属するか否かによらず、第１の比率で第１の画像成分と第２の画像成分に配分し、
第２のモードでは、前記分離手段は、前記所定の条件を満たす画素については、前記所定の色域に属するか否かによらず、第２の比率で第１の画像成分と第２の画像成分に配分する請求項１３に記載の画像表示装置。
【請求項１５】
前記所定の色域は、低彩度の色域である請求項２〜４、１２〜１４のいずれか１項に記載の画像表示装置。
【請求項１６】
前記第１基準は、ピーク感度の３／４の感度であり、
前記第２基準は、有感波長域内のピーク強度の１／２の強度である請求項５に記載の画像表示装置。
【請求項１７】
前記第１の画像成分は高彩度の画像成分であり、前記第２の画像成分は低彩度の画像成分である請求項１〜１６のいずれか１項に記載の画像表示装置。
【請求項１８】
前記第１の比率は、前記第１の画像成分よりも前記第２の画像成分の方が多くなる比率であり、
前記第２の比率は、前記第２の画像成分よりも前記第１の画像成分の方が多くなる比率である請求項２〜４、１２〜１４のいずれか１項に記載の画像表示装置。
【手続補正２】
【補正対象書類名】明細書
【補正対象項目名】００１２
【補正方法】変更
【補正の内容】
【００１２】
本発明は、画像を表示する画像表示装置であって、
複数の光源を有する照明手段と、
入力画像を第１の画像成分と第２の画像成分に分ける分離手段と、
前記照明手段からの光を、画像の表示期間内の第１の期間において前記第１の画像成分に基づいて変調し、画像の表示期間内の第２の期間において前記第２の画像成分に基づいて変調する変調手段と、
前記第１の期間において第１の光を発し、前記第２の期間において第２の光を発するように、前記照明手段を制御する制御手段と、
を備え、
前記第１の光及び前記第２の光は、それぞれ赤色の光と青色の光と緑色の光とを含んでおり、
前記第２の光のスペクトルは、前記第１の光のスペクトルよりも広帯域な特性を有することを特徴とする画像表示装置である。